(57)【要約】      （修正有）【課題】フライスユニット全体の一度の据置によって、広範囲の切削研磨加工が可能となり、しかも切削用アタッチメント全体の外方スライド移動後の重心移動に伴う当該切削用アタッチメント自体の前方傾斜を確実に補正することができるフライスユニットを提供する。【解決手段】電磁マグネットによりプレス機械の台座盤に対して吸着離脱可能としたマグネットベース１と、該マグネットベース１上に旋回用インターナルギア３を介して旋回自在に噛合連繋し、任意の回転位置で固定可能とした旋回輪ベース２と、該旋回輪ベース２上で任意のスライド送りピッチで互いに内外水平方向にスライド可能とした二段式スライド機構部４と、該二段式スライド機構部４の上面で前後左右方向に沿って水平移動可能に設けられた切削機構部５とを備えたフライスユニット。【選択図】図１
2010012524.tif 000002
【特許請求の範囲】
【請求項１】
電磁マグネットによりプレス機械の台座盤に対して吸着離脱可能とされたマグネットベースと、該マグネットベース上に旋回用インターナルギアを介して旋回自在に噛合連繋され、任意の回転位置で固定可能とした旋回輪ベースと、該旋回輪ベース上で任意のスライド送りピッチで互いに内外水平方向にスライド可能とした二段式スライド機構部と、該二段式スライド機構部の上面で前後左右方向に沿って水平移動可能に設けられた切削機構部とを備えて成ることを特徴とするフライスユニット。
【請求項２】
切削機構部は、二段式スライド機構部を構成する上側のスライド板の上面に沿って前後水平移動可能にしたガイドレール部材と、該ガイドレール部材に沿って左右方向にスライド可能に枢着された切削用アタッチメントとから成り、該切削用アタッチメントに固設された回転モータの回転軸がギアを介して取り替え自在に連結されたカッタを下端に備え、該切削用アタッチメントを上下方向に移動調整自在としたアジャスタ部を有して成ることを特徴とする請求項１記載のフライスユニット。
【請求項３】
カッタの先端側にインジケータを備え、二段式スライド機構部の上下スライド板が互いに外方へスライド突出した際の重心移動に伴う切削用アタッチメントの前方傾斜を補正すべく前記アジャスタ部により高さの微調整を可能としたことを特徴とする請求項２記載のフライスユニット。
【発明の詳細な説明】
【技術分野】
【０００１】
本発明は、主として鍛造プレス、板金プレス等において、金型を載置する台座盤の上面を１ｍｍの３／１００程度の範囲の仕上精度に加工するための運搬可能なフライスユニットに関する。
【背景技術】
【０００２】
従来、大型のプレス機械等においては、経年的使用によってその台座盤の上面に凹凸を生じ、これを補修研磨するためには主として手動により所要の計測器を使って、凹凸場所を発見しながら研磨して行くものであった。
【０００３】
しかしながら、台座盤の上面の研磨は、多大の労力と時間とを必要とし、修理期間内はプレス作業は休止しなければならないと同時に、研磨補修の費用もそれだけコスト高になるという問題点があった。そこで、例えば特許文献１に開示されているように、台座盤の研磨を手動ではなく、機械的に効率よく実施し得るようにしたフライスユニットが提供されている。しかもこの装置はトラック等によって自由に持ち運び可能であり、簡易に大型プレス機械の台座盤上に設置し、該フライスユニットを逐次移動させながら効率的に台座盤の平削を実施し得るようにしたものである。
【０００４】
すなわち、このフライスユニットは、プレス機械の台座盤等に対して電磁マグネットによりベースプレートを吸着し、このべースプレートに対してＨ型フレームの水平位置を調整可能に載置することができる。そして、サドル部材がＨ型フレームの上面に摺動自在に架設され、回転シャフトを回転することによってサドル部材をフレームの長手方向に沿って移動することができる。また、サドル部材の上面には円板が回動自在に設けられ、サドル部材に対する円板の回動方向を調整することができる。更に、該円板上に固定された固定板にはラックが設けてあり、ガイドレール部材に対して回動自在に設けられた回転軸の噛合部がサドル部材のラックに噛合され、回転軸に挿し込みハンドルを嵌合して回動することにより、ガイドレール部材をサドル部材に沿って水平移動することができる構造となっている。
【０００５】
このように設置されたＨ型フレームに対して、サドル部材を移動することにより切削用アタッチメントをＨ型フレームの長手方向に移動することができ、Ｈ型フレームの端末に切削用アタッチメントを移動しておくと、円板の回動性能によって切削用アタッチメントを１８０°回転することができ、これによりＨ型フレームの一度の設置によりＨ型フレーム両側での切削研磨加工が可能となるものとしている。
【特許文献１】実公平８−８００７号公報
【発明の開示】
【発明が解決しようとする課題】
【０００６】
ただ、従来におけるフライスユニットでは、ガイドレール部材に対して回動自在に設けられた回転軸の噛合部がサドル部材のラックに噛合され、回転軸に挿し込みハンドルを嵌合して回動することにより、ガイドレール部材をサドル部材に沿って水平移動することができる構造となっていることから、フライスユニット全体の据置位置に対する切削用アタッチメントの外方移動ストロークがかなり狭い範囲に限られ、フライスユニットの１度の据置による切削加工範囲がこの狭い範囲内に制約されてしまっていた。
【０００７】
また、切削用アタッチメントを備えたガイドレール部材がサドル部材に沿って外方へスライド突出した際には、重量のあるカッタ回転モータを含む切削用アタッチメント全体の重心移動に伴い該切削用アタッチメント自体が前方に傾斜することになるが、この微妙な傾斜の修正を確実に行うための機構は未だ存在していないのが実状であった。
【０００８】
そこで、本発明は叙上のような従来存した諸事情に鑑み創出されたもので、フライスユニット全体の一度の据置によって、広範囲の切削研磨加工が可能となり、しかも切削用アタッチメント全体の外方スライド移動後の重心移動に伴う該切削用アタッチメント自体の前方傾斜を確実に補正することができる機構を備えたフライスユニットを提供することを目的とする。
【課題を解決するための手段】
【０００９】
上述した課題を解決するため、本発明にあっては、電磁マグネットによりプレス機械の台座盤に対して吸着離脱可能とされたマグネットベースと、該マグネットベース上に旋回用インターナルギアを介して旋回自在に噛合連繋され、任意の回転位置で固定可能とした旋回輪ベースと、該旋回輪ベース上で任意のスライド送りピッチで互いに内外水平方向にスライド可能とした二段式スライド機構部と、該二段式スライド機構部の上面で前後左右方向に沿って水平移動可能に設けられた切削機構部とを備えて成ることを特徴とする。
【００１０】
また、上記切削機構部は、二段式スライド機構部を構成する上側のスライド板の上面に沿って前後水平移動可能にしたガイドレール部材と、該ガイドレール部材に沿って左右方向にスライド可能に枢着された切削用アタッチメントとから成り、該切削用アタッチメントに固設された回転モータの回転軸がギアを介して取り替え自在に連結されたカッタを下端に備え、該切削用アタッチメントを上下方向に移動調整自在としたアジャスタ部を有して成ることを特徴とする。
【００１１】
更に、上記カッタの先端側にインジケータを備え、二段式スライド機構部の上下スライド板が互いに外方へスライド突出した際の重心移動に伴う切削用アタッチメントの前方傾斜を補正すべく前記アジャスタ部により高さの微調整を可能としたことを特徴とする。
【発明の効果】
【００１２】
本発明によれば、フライスユニット全体の一度の据置によって、広範囲の切削研磨加工が可能となり、しかも切削用アタッチメント全体の外方スライド移動後の重心移動に伴う当該切削用アタッチメント自体の前方傾斜を確実に補正することができる。
【００１３】
すなわち、本発明は、旋回輪ベース上で任意のスライド送りピッチで互いに内外水平方向にスライド可能とした二段式スライド機構部を備えたので、フライスユニット全体の一度の据置によって、旋回輪ベースの旋回範囲及びスライド機構部によるスライド範囲の広範囲にわたる切削研磨加工が可能となった。
【００１４】
また、切削機構部は、二段式スライド機構部を構成する上側のスライド板の上面に沿って前後水平移動可能にしたガイドレール部材と、該ガイドレール部材に沿って左右方向にスライド可能に枢着された切削用アタッチメントとから成り、該切削用アタッチメントに固設された回転モータの回転軸がギアを介して取り替え自在に連結されたカッタを下端に備え、該切削用アタッチメントを上下方向に移動調整自在としたアジャスタ部を有して成るので、切削用アタッチメントの上下方向の微調整が容易で且つ確実に行うことが可能となった。
【００１５】
更に、カッタの先端側にインジケータを備え、二段式スライド機構部の上下スライド板が互いに外方へスライド突出した際の重心移動に伴う切削用アタッチメントの前方傾斜を補正すべく前記アジャスタ部により高さの微調整を可能としたので、切削用アタッチメント全体の外方スライド移動後の重心移動に伴う当該切削用アタッチメント自体の前方傾斜を確実に補正することができる。
【発明を実施するための最良の形態】
【００１６】
以下、図面を参照して本発明を実施するための最良の一形態を説明する。
【実施例１】
【００１７】
図において示される符号１は、電磁マグネットによりプレス機械の台座盤に対して吸着離脱可能とされたコラム形状を呈するマグネットベースであり、該マグネットベース１の上面には、図１および図２に示すように、矩形板状の旋回輪ベース２が旋回用インターナルギア３を介して旋回自在に噛合連繋され、且つ任意の回転位置で固定可能としてある。
【００１８】
そして、旋回輪ベース２の上面には、例えばラック・ピニオンギア機構等の任意のスライド送りピッチで互いに内外水平方向にスライド可能とした二段式スライド機構部４を備え、該二段式スライド機構部４を介して切削機構部５が水平移動可能に設けられている。
【００１９】
すなわち、この二段式スライド機構部４は、図１に示すように、旋回輪ベース２上面でマグネットベース１に対して前後Ｘ軸方向に進退移動可能とした下側スライド板４ａと、該下側スライド板４ａ上面で同じく前後Ｘ軸方向に進退移動可能とした上側スライド板４ｂとから構成され、背面側に配した例えばダイヤル回転式ネジ４ｃの螺進退操作によって、マグネットベース１に対する切削機構部５の前後Ｘ軸方向への進退移動ストロークを倍増させ、フライスユニット全体の一度の据置によって、Ｘ軸方向に沿った広範囲の切削研磨加工が可能となるようにしてある。
【００２０】
また、切削機構部５は、図２に示すように、二段式スライド機構部４の上側スライド板４ｂ上面に沿って例えばラック・ピニオンギア機構等による任意のスライド送りピッチで前後Ｘ軸方向へ水平移動可能にした長尺なガイドレール部材６を備え、更にガイドレール部材６の長手方向に沿って配されているボールネジ７に螺着され、該ボールネジ７にハンドル８を嵌合して回動することにより左右Ｙ軸方向に沿ってスライド可能とした切削用アタッチメント１０を備えている。
【００２１】
尚、ボールネジ７に対向してガイドレール部材６の長手方向に沿った他端側にはガイド棒９が設けられ、切削用アタッチメント１０の貫通孔に挿通させることでハンドル８の回転操作と同時に切削用アタッチメント１０が回転してしまうことを防止している。
【００２２】
この切削用アタッチメント１０は、図２、図４に示すように、ガイドレール部材６のボールネジ７及びガイド棒９に沿って前記ハンドル８の操作でスライド移動可能とした後側のベース部１０ａと、該ベース部１０ａに対してアリ溝継ぎ手部１１によって噛合され、且つボールネジ１１ａの回転によって上下方向にスライド移動可能に設けられた上側開口箱状の昇降部１０ｂとから成り、更に、この昇降部１０ｂの側面には、図１に示すように、ベース部１０ａに対して任意の高さ位置で固定可能としたアジャスタ部１２を備えている。
【００２３】
図３に示すように、昇降部１０ｂの上側開口部内側には回転モータ１３が下向きに固設されており、該回転モータ１３の下方に向けられた回転軸１３ａにはギア１４ａが固着されている。また、昇降部１０ｂの先端側には、下端側にカッタ１５を着脱可能に連結したシャフト１６が回転可能に枢着されており、該シャフト１６の上端に固着したギア１４ｂが回転モータ１３の回転軸１３ａに噛合されている。
【００２４】
また、図１に示すように、カッタ１５の先端側には、例えばダイヤル式等のインジケータ１７を備えており、二段式スライド機構部４の上下スライド板４ａ、４ｂが互いに外方へスライド突出した際の重心移動に伴う切削用アタッチメント１０の前方傾斜を、前記アジャスタ部１２及び／又は上下スライド板４ａ、４ｂに設けたアジャスタ部１２ａ、１２ｂによる高さの微調整によって補正できるようにしてある。
【００２５】
次に、以上のように構成された最良の形態についての使用、動作の一例について説明する。フライスユニットを所望の場所まで運搬し、マグネットベース１を例えば門型の板金プレス機械の台座盤上に配置し、電磁マグネットに通電して吸着させる。
【００２６】
そして、旋回輪ベース２を旋回させて任意の回転位置で固定させる。このとき、旋回輪ベース２を固定させずに、回転モータ１３に通電すれば、この旋回輪ベース２を旋回させながらのカッタ１５による切削研磨加工も可能である。
【００２７】
そして、図１に示すように、二段式スライド機構部４のダイヤル回転式ネジ４ｃを正逆回転させて上下スライド板４ａ，４ｂを同時にスライド前進させ、切削機構部５を前方Ｘ軸方向の所定位置に水平移動させておく。このとき、カッタ１５の先端側にあるインジケータ１７によって、重心移動に伴う切削用アタッチメント１０の前方傾斜を検知し、前記アジャスタ部１２、１２ａ、１２ｂの高さの微調整によってこの検知された傾斜の補正を予め行っておく。
【００２８】
次いで、図２に示すように、回転モータ１３に通電すると同時に、ボールネジ７にハンドル８を嵌合して回動することで切削用アタッチメント１０を左右Ｙ軸方向に沿ってスライドさせながらカッタ１５による切削研磨加工を行う。
【図面の簡単な説明】
【００２９】
【図１】本発明を実施するための最良の形態におけるフライスユニット全体の一例を示す側面図である。
【図２】同じくフライスユニット全体の一例を示す平面図である。
【図３】同じく切削用アタッチメントの一例を示す一部省略断面図である。
【図４】同じく切削用アタッチメントの一例を示す一部省略平面図である。
【符号の説明】
【００３０】
１                マグネットベース
２                旋回輪ベース
３                旋回用インターナルギア
４                二段式スライド機構部
４ａ              下側スライド板
４ｂ              上側スライド板
４ｃ              ダイヤル回転式ネジ
５                切削機構部
６                ガイドレール部材
７                ボールネジ
８                ハンドル
９                ガイド棒
１０              切削用アタッチメント
１０ａ            ベース部
１０ｂ            昇降部
１１              アリ溝継ぎ手部
１１ａ            ボールネジ
１２              アジャスタ部
１２ａ、１２ｂ    アジャスタ部
１３              回転モータ
１３ａ            回転軸
１４ａ、１４ｂ    ギア
１５              カッタ
１６              シャフト
１７              インジケータ
【図１】
2010012524.tif 000003
【図２】
2010012524.tif 000004
【図３】
2010012524.tif 000005
【図４】
2010012524.tif 000006